(57)【要約】【課題】  スラット間の開口を、通風性と遮蔽・防犯性とをバランスよく両立できる半開状態に保持して好適に使用しうるブラインドシャッターを提供する。【解決手段】  ブラインドシャッター１は、スラット３の昇降及び傾斜角度の調整に供される操作手段に、通風性と遮蔽・防犯性とをバランスよく両立し得る「防犯通風モード」の設定及び解除を行うためのモード切替キーが設けられている。モード切替キー９４を介して「防犯通風モード」が選択されると、スラット３が最下位置まで下降した後、あらかじめ設定された、水平面に対して５５度〜６５度の範囲内の角度に停止して保持される。【選択図】  図７
2017078283.tif 000002
【特許請求の範囲】
【請求項１】
建物の窓開口部に設置された枠体と、
互いに上下方向に連結されて前記枠体の枠内に取り付けられた複数枚のスラットと、
前記スラットを枠体の縦枠材に沿って昇降させる昇降機構と、
前記スラットの傾斜角度を変化させるチルト機構と、
前記昇降機構及び前記チルト機構を電動力を用いて作動させる駆動制御手段と、
前記駆動制御手段の操作に用いられる操作手段と、
を備えるブラインドシャッターにおいて、
前記操作手段には、通風性と遮蔽・防犯性とをバランスよく両立し得る「防犯通風モード」の設定及び解除を行うためのモード切替キーが設けられ、
前記モード切替キーを介して「防犯通風モード」が選択されると、前記駆動制御手段が前記昇降機構及び前記チルト機構を連続的に作動させて、前記スラットを最下位置まで下降させた後、各スラットの傾斜角度を水平面に対し５５度〜６５度の範囲内の所定角度に停止させることにより、屋外側正面からの水平視線が遮蔽されるとともに、上下のスラット間に適宜間隔の通風用開口が保持されることを特徴とするブラインドシャッター。
【請求項２】
請求項１に記載のブラインドシャッターにおいて、
「防犯通風モード」に設定されている状態では、各スラットの傾斜角度を前記所定角度よりも減じる操作、及び前記スラットを上昇させる操作が無効化されることを特徴とするブラインドシャッター。
【請求項３】
請求項２に記載のブラインドシャッターにおいて、
前記操作手段のモード切替キーを介して「防犯通風モード」の解除が選択されると、前記スラットが、水平面に対する傾斜角度を最大化する全閉状態まで動いて停止した後、前記スラットの傾斜角度を変更する操作、及び前記スラットを昇降させるための追加的な操作が有効化されることを特徴とするブラインドシャッター。
【請求項４】
請求項１〜３のいずれか１項に記載のブラインドシャッターにおいて、
前記「防犯通風モード」に設定された際にスラットが保持される所定角度は、上段スラットの屋外側下縁と下段スラットの屋内側上縁とを結ぶ平面が、水平面よりも屋外側に向かって１０度以上下向きに傾斜するとともに、
上段スラットと下段スラットとの間に形成される最大見通し間隔が、スラットの奥行き寸法に対する比率で０．１倍〜０．３倍の範囲内、かつ、スラットの高さ寸法に対する比率で０．７倍〜１．５倍の範囲内になり、かつ、実寸法で１２ｍｍ〜３０ｍｍの範囲内になる角度であることを特徴とするブラインドシャッター。
【発明の詳細な説明】
【技術分野】
【０００１】
本発明は、窓の屋外側に、主として遮蔽及び防犯の目的で設置されるブラインドシャッターに関する。
【背景技術】
【０００２】
建物の壁面等に設けられた窓の屋外側に取り付けられ、上下方向に連結された複数枚のスラット（羽根、ルーバー）を昇降及び傾動させて採光や通風を調整するとともに、スラット間の開口を閉じることによって屋外側からの覗き込みや不法な侵入を阻止しうるように構成された、防犯タイプのブラインドシャッターが公知である。
【０００３】
本出願人らも、特許文献１、２等において、特にスラットを閉鎖した際の防犯性に配慮したブラインドシャッターを提案している。特許文献２に開示されたブラインドシャッターは、スラットを降ろして遮蔽側に傾動させたときに、最下位のスラットに設けられた揺動ピンが、枠体の下部に設けられた係止面に係止することで、最下位のスラット及びその上方に連なる複数のスラットを屋外側から強制的に持ち上げることができなくなるように構成されている。また、個々のスラットの屋内側縁部に金属線材等からなる剛性軸部材が取り付けられて、スラット一枚一枚の剛性が強化されるとともに、間口方向における中間部分の複数か所に、各スラットの剛性軸部材を上下方向に連結する剛性リンク機構が設けられることで、スラットの上下間隔が一定に保持され、スラットの撓みやばたつきも生じにくくなるように構成されている。
【先行技術文献】
【特許文献】
【０００４】
【特許文献１】特開２００８−１２７８４５号公報
【特許文献２】特開２０１４−５８８５６号公報
【発明の概要】
【発明が解決しようとする課題】
【０００５】
前記特許文献１、２に記載されたブラインドシャッターは、スラット間の開口を全閉した状態では好ましい遮蔽性及び防犯性を発揮するものの、通風を得るためにスラットを半開状態にすると、屋外側からの視線を十分に遮ることができないので、プライバシーを守りにくい。かといって、遮蔽性を高めるためにスラットの傾斜角度を全閉に近づけると、通風量が減って快適性が損なわれてしまう。
【０００６】
また、スラットが半開状態にあると、スラット同士を上下方向に連結している剛性リンク機構が屋外側から斜め上向きに覗けるので、スラットの間にボルトクリッパー（ボルトカッター）等の工具を挿し入れて剛性リンク機構を破壊されるおそれもある。そのような方法で剛性リンク機構が破壊されてしまうと、スラットの間を強制的にこじ開けて侵入することも容易になる。
【０００７】
本発明は、かかる事情に鑑みてなされたもので、通風を得るためにスラットを半開状態にしても、屋外からの視線が好適に遮蔽され、かつ、スラットの間から剛性リンク機構を破壊するのも難しくなるようにスラットの断面形状を改良するとともに、通風性と遮蔽・防犯性とをバランスよく両立できる半開状態を「防犯通風モード」と位置づけて、その防犯通風モードに係る日常的な使い勝手を向上させることを解決課題としている。
【課題を解決するための手段】
【０００８】
前述の目的を達成するため、本発明のブラインドシャッターは、建物の窓開口部に設置された枠体と、互いに上下方向に連結されて前記枠体の枠内に取り付けられた複数枚のスラットと、前記スラットを枠体の縦枠材に沿って昇降させる昇降機構と、前記スラットの傾斜角度を変化させるチルト機構と、前記昇降機構及び前記チルト機構を電動力を用いて作動させる駆動制御手段と、前記駆動制御手段の操作に用いられる操作手段と、を備えるブラインドシャッターにおいて、前記操作手段には、通風性と遮蔽・防犯性とをバランスよく両立し得る「防犯通風モード」の設定及び解除を行うためのモード切替キーが設けられ、前記モード切替キーを介して「防犯通風モード」が選択されると、前記駆動制御手段が前記昇降機構及び前記チルト機構を連続的に作動させて、前記スラットを最下位置まで下降させた後、各スラットの傾斜角度を水平面に対し５５度〜６５度の範囲内の所定角度に停止させることにより、屋外側正面からの水平視線が遮蔽されるとともに、上下のスラット間に適宜間隔の通風用開口が保持される、との構成を採用する。
【０００９】
このように、昇降機構及びチルト機構を作動させるための駆動制御手段と、それを操作するための操作手段に対して、あらかじめ通風性と遮蔽・防犯性とをバランスよく両立させ得るスラットの傾斜角度を「防犯通風モード」として登録しておけば、使用者がモード切替キーを操作するだけで、きわめて簡単に、スラットを好ましい傾動状態に保持することができる。
【００１０】
さらに、本発明のブラインドシャッターは、前述の構成に加えて、「防犯通風モード」に設定されている状態では、各スラットの傾斜角度を前記所定角度よりも減じる操作、及び前記スラットを上昇させる操作が無効化される、との構成を採用する。
【００１１】
これによると、「防犯通風モード」に設定されている状態では、そのモードを適正に解除しない限り、スラットを所定角度よりも開いたり、スラットを上昇させたりすることができなくなる。したがって、「防犯通風モード」に設定されているときに、不用意な操作や、屋外側からの不正な操作によって、防犯性を低下させてしまう事態を予防することができる。
【００１２】
さらに、本発明のブラインドシャッターは、前記操作手段のモード切替キーを介して「防犯通風モード」の解除が選択されると、前記スラットが、水平面に対する傾斜角度を最大化する全閉状態まで動いて停止した後、前記スラットの傾斜角度を変更する操作、及び前記スラットを昇降させるための追加的な操作が有効化される、との構成を採用する。
【００１３】
これによれば、屋内側からの適正な操作で「防犯通風モード」を解除しようとする場合、まず、スラットが全閉状態まで傾動し、そこで一旦、停止したところで「防犯通風モード」が解除される。その後、さらにスラット間の開口を開く操作やスラットを上昇させるための操作を追加的に行うことによって、スラットがそのように動作する。このように、スラットを「防犯通風モード」よりも開放側に動かす際には、全閉状態での停止を経由する２段階操作を必要とするように設定すれば、万一、屋外側から不正な手段で「防犯通風モード」を解除しようとしても、スラットが全閉状態で停止してしまうため、引き続いてスラット間の開口を開いたり、スラットを上昇させたりするための操作を行うことが困難になる。こうして、「防犯通風モード」にあるときの防犯性が、より確実に担保される。
【００１４】
また、本発明のブラインドシャッターは、前記「防犯通風モード」に設定された際にスラットが保持される所定角度が、図９に示す説明用断面図において、以下の条件を満たすことを特徴とする。
（１）上段スラットの屋外側下縁と下段スラットの屋内側上縁とを結ぶ平面Ｔが、水平面Ｌよりも屋外側に向かって１０度以上下向きに傾斜する。
（２）上段スラットと下段スラットとの間に形成される最大見通し間隔Ｓが、
ａ．スラットの奥行き寸法Ｄに対する比率で０．１倍〜０．３倍の範囲内になる。
ｂ．スラットの高さ寸法Ｈに対する比率で０．７倍〜１．５倍の範囲内になる。
ｃ．実寸法で１２ｍｍ〜３０ｍｍの範囲内になる。
【００１５】
なお、ここでの「最大見通し間隔Ｓ」とは、下段スラットの上面に接する平面Ａと、上段スラットの下面に触れる前記平面Ａの平行面Ａ’との間隔（Ａ−Ａ’間隔）から、上段スラットの下面に接する平面Ｂと、下段スラットの上面に触れる前記平面Ｂの平行面Ｂ’との間隔（Ｂ−Ｂ’間隔）までの間で最大になる寸法を指すものとする。（例示形態ではＡ−Ａ’間隔が最大見通し間隔Ｓになる。）
このような条件設定を採用することにより、通風性と、遮蔽・防犯性とを実用レベルで好適に両立させることができる。
【発明の効果】
【００１６】
前述のように構成される本発明のブラインドシャッターによれば、使用者が操作手段に設けられたモード切替キーで、あらかじめ登録された「防犯通風モード」を選択するだけで、スラットが最下位置まで下降した後、通風性と遮蔽・防犯性とのバランスを最適化し得る好ましい傾斜角度に保持される。この「防犯通風モード」では、適度な通風が得られるとともに、屋外側からの視線も遮蔽されてプライバシーが好適に維持される。また、スラット同士が剛性リンク機構を介して上下方向に連結されている場合でも、該機構が屋外側から見えにくくなるので、スラットの間に工具等を挿し入れて該機構を破壊されるリスクも小さくなる。
【００１７】
さらに、「防犯通風モード」に設定されている状態ではスラットの傾斜角度の調節が遮蔽側だけに限定される設定や、「防犯通風モード」を解除したときにはスラットが一旦、全閉になって停止する設定を採用することにより、「防犯通風モード」における防犯性が一層向上し、不用意な操作や屋外側からの不正な操作によって防犯性が損なわれる事態を万全に防ぐことができる。
【図面の簡単な説明】
【００１８】
【図１】本発明の実施形態に係るブラインドシャッターの全体的形状を屋外側から見て示す斜視図である。
【図２】前記ブラインドシャッターに組み込まれる機構の概略的な構成を屋外側から見て示す正面略図である。
【図３】前記ブラインドシャッターの昇降機構及びチルト機構の要部を示す縦断面図である。
【図４】前記ブラインドシャッターのチルト機構及び補剛機構の要部を屋内側から見て示す斜視図である。
【図５】前記ブラインドシャッターに採用されているスラットの断面形状と、上下方向の連結形態を示す縦断面図であって、スラットが全開状態にあるときの図である。
【図６】同じく、スラットが全閉状態にあるときの図である。
【図７】同じく、スラットが「防犯通風モード」の半開状態にあるときの図である。
【図８】前記ブラインドシャッターの操作に用いられるスイッチパネルの構成例を示す正面図である。
【図９】本発明のブラインドシャッターにおけるスラットの傾斜角度とスラット間の開口形状を特定するための説明用断面図である。
【発明を実施するための形態】
【００１９】
以下、本発明の実施の形態について図を参照して説明する。図１〜図４は、本発明の一実施形態にかかるブラインドシャッターの全体的な構成を示している。
【００２０】
ブラインドシャッター１は、建物の壁面等に設けられた窓開口部（図示せず）の屋外側に設置される枠体２と、枠体２によって囲まれた枠内に、互いに上下方向に連結された状態で取り付けられる複数枚のスラット３と、それらのスラット３を枠体２の縦枠材に沿って昇降させる昇降機構と、それらのスラット３の傾斜角度を変化させるチルト機構と、前記昇降機構及び前記チルト機構を電動力を用いて作動させる駆動制御手段と、を備えている。
【００２１】
枠体２は、左右の縦枠材２１と、それら両縦枠材２１の上部を水平に橋絡する上枠材２２と、両縦枠材２１の下部を水平に橋絡する下枠材２３とを有している。縦枠材２１の枠内側には、スラット３の昇降をガイドするための案内溝２４が上下方向に延びて形成されている。また、枠体２の上部には、上昇させたスラット３を収納するためのシャッターボックス２５が取り付けられている。
【００２２】
スラット３は、その両端部に取り付けられた支持具４を介して縦枠材２１に係止されている。支持具４は、軸部４１とアーム部４２とを有している。軸部４１は、スラット３の断面形状（詳細は後述）における傾動中心の位置に固定された状態で、縦枠材２１の案内溝２４に挿入され、案内溝２４に沿って昇降し得るように保持される。アーム部４２は、軸部４１を中心として、その両側に延びている。アーム部４２の前端と後端には、それぞれ前縁ピン４３と後縁ピン４４とが突設されている。そして、各スラット３の前縁ピン４３同士、及び後縁ピン４４同士が、それぞれ折り畳み可能なリンク部材４５、４６を介して上下方向に連結されている。
【００２３】
リンク部材４５、４６の上端は、枠体２の上部に組み付けられた揺動部材４７に懸吊されている。この揺動部材４７は、適宜の動力伝達機構を介して、枠体２の上部に設置された電動機５に連結されている。この電動機には、適宜の制御装置（図示せず）が接続され、これらによって駆動制御手段が構成されている。
【００２４】
電動機５の駆動力を得て揺動部材４７が揺動すると、前縁側のリンク部材４５と後縁側のリンク部材４６とがシーソー状に上下動し、リンク部材４５、４６に連結された支持具４の傾斜角度が変化する。これら揺動部材４７、リンク部材４５、４６、支持具４等によって構成されるチルト機構の動作により、スラット３が、略水平の全開状態から縦向きの全閉状態まで、所定の角度範囲内で傾動する。
【００２５】
また、最下位置にあるスラット３の支持具４には昇降チェーン（図示せず）が取り付けられている。昇降チェーンは縦枠材２１の内側に収納されて、枠体２の上部に組み付けられた巻上装置７に連結されている。この巻上装置７も、適宜の動力伝達機構を介して電動機５に連結されており、電動機５の駆動力によって昇降チェーンが巻き上げまたは繰り下げられる。これら、昇降チェーン、巻上装置７等からなる昇降機構の動作により、上下方向に連結された複数枚のスラット３が、最下位置のスラット３を先頭にして昇降する。
【００２６】
駆動制御手段を介して昇降機構及びチルト機構を動かすための操作は、屋内の適所に配置された、操作手段としてのスイッチパネルまたはリモートコントローラを通じて行われる。（操作手段の詳細は後述する。）
ただし、本発明は、スラット３を昇降させる昇降機構やスラット３の傾斜角度を変化させるチルト機構の細部を詳細に特定するものではない。したがって、それらの機構の細部に関しては、例えば前記特許文献１、２等に開示された構成に準じてもよいし、その他、適宜の公知技術を組み合わせるなどして構成してもよい。
【００２７】
本発明の要部は、スラット３の形状及び上下のスラット３間に形成される開口の形状と、さらにそれらスラット３を昇降・傾動させる操作手段の動作設定にある。以下、それらについて、図５〜図８を参照しつつ説明する。
【００２８】
スラット３は、アルミ合金その他の金属の押出成形によって形成された一様断面の部材である。図５〜図７は、最上位置及び最下位置を除く中間位置に取り付けられたスラット３の、長手方向に直交する断面形状を示している。
【００２９】
スラット３は、奥行き方向の寸法Ｄが１００ｍｍ〜１２０ｍｍ（例示形態の実寸法では約１０９ｍｍ）、水平面に載置した状態での高さＨが１６ｍｍ〜２０ｍｍ（例示形態の実寸法では約１８ｍｍ）で、奥行きと高さとの比率Ｄ：Ｈが６：１〜７：１の範囲内になる形状を有している。スラット３の奥行き方向における中間部には、スラット３を傾動させる際の軸心（＋印）が配置され、その軸心の延長上に前述した支持具４の軸部４１が固定される。この軸心付近よりも屋外側（屋外側から見た奥行き方向における前側）の略半部３１は中空二重構造で上面を凸面とするように湾曲しており、屋内側（同、後側）の略半部３２は一重構造で上面を凹面とするように反転湾曲している。屋外側の略半部３１の上面（凸面）の曲率半径Ｒ１は７０ｍｍ〜９０ｍｍで、その下面も上面と互いに重なり合うように形成されている。
【００３０】
スラット３の屋内側の縁部には、下向きに開口する断面略Ｃ形の開孔（ビスホール）３３が形成されている。この開孔内には、例えばステンレス鋼製の細い棒材等からなる補剛材３４が、スラット３の長手方向に沿って挿着されている。
【００３１】
各スラット３の補剛材３４は、補剛リンク機構を介して上下方向に連結されている。補剛リンク機構は、例示形態では間口方向の中間部１か所に、折り畳み可能なリンクアーム８を３列並べて設けられている。これらのリンクアーム８は、スラット３を下降させた際には、スラット３の傾斜角度に関わらず、常にスラット３の上下間隔を一定に保持して、スラット３が撓むのを防ぐ作用をなす。
【００３２】
また、スラット３を上昇させると、図５の下部に示すように、リンクアーム８はスラット３間のピン節点で屋外側に折曲して、上下のスラット３の屋内側の略半部の間に畳み込まれる。こうして、上昇させたスラット３をコンパクトに収納することができる。なお、図４に示すように、リンクアーム８が取り付けられている部分では、スラット３の屋内側の縁部がリンクアーム８に干渉するのを避けるため、該縁部が一部、切り欠かれて補剛材３４が露出している。
【００３３】
また、スラット３の屋外側の縁部には、下向きに開口するパッキン溝３５が形成されている。このパッキン溝３５には、略Ｔ字状の断面形状を有するゴムパッキン３６が取り付けられている。このゴムパッキン３６は、図６に示すように、スラット３の全閉時に上下のスラット３間の開口を塞ぐ作用をなす。
【００３４】
スラット３を下降させた状態におけるスラット３の上下間隔（軸心間寸法）Ｐは、７５ｍｍ〜８５ｍｍ（例示形態の実寸法では約８０ｍｍ）に保持される。この上下間隔Ｐは、スラット３の奥行き寸法Ｄに対する比率では０．７Ｄ〜０．７５Ｄ、スラット３の高さＨに対する比率では４．５Ｈ〜５Ｈの範囲内となる。
【００３５】
したがって、図５に示すように、スラット３を略水平にした全開状態では、上下のスラット３間の最大見通し間隔Ｓは、５０ｍｍ〜７４ｍｍ（例示形態の実寸法では約６２ｍｍ）となる。これだけの開口があれば良好な通風が得られるが、屋外側から屋内側への視線を遮ることはできず、補剛リンク機構を構成するリンクアーム８も屋外側からほぼ丸見えになる。
【００３６】
一方、図６に示すように、スラット３を縦向きに傾動させて全閉状態にすると、上下のスラット３の直立投影面上の重なり幅Ｋは２０ｍｍ〜４０ｍｍ（例示形態では約２８ｍｍ）となり、斜め方向の見通し間隔は完全にゼロになる。このような全閉状態にあるブラインドシャッター１は、高い剛性と遮蔽性を備えた防犯部材として機能する。
【００３７】
図７は、通風性と遮蔽・防犯性とをバランスよく両立させ得るスラット３の半開状態を示している。本発明は、スラット３の下面に接する平面と水平面とのなす角度θが５５度〜６５度の範囲（例示形態では約６０度）になる状態を、特に好ましい半開状態と位置づけている。この状態では、上段のスラット３の屋外側下縁と下段スラット３の屋内側上縁とを結ぶ平面Ｔが、水平面よりも屋外側に向かって２０度〜３０度、下向きに傾斜し、上下のスラット３の直立投影面上の重なり幅Ｋは１５ｍｍ以上（例示形態では約１９ｍｍ）になる。これにより、水平方向の視線は好適に遮蔽される。
【００３８】
また、このとき、上下のスラット３間の最大見通し間隔Ｓは、１２ｍｍ〜３０ｍｍ（例示形態の実寸法では約２２ｍｍ）になる。この最大見通し間隔Ｓは、スラット３の奥行き寸法Ｄに対する比率では０．１Ｄ〜０．３Ｄ、また、スラット３の高さ寸法Ｈに対する比率では０．７Ｈ〜１．５Ｈの範囲内になる。
【００３９】
これらの設定値は、本出願人らが実験を繰り返しながら、通風性と遮蔽性とのバランスを実用レベルで最適化し得るように見出したものである。すなわち、スラット３間の最大見通し間隔Ｓを少なくとも１２ｍｍ以上とすることで通風性を確保する一方、スラット３間の最大見通し間隔Ｓを３０ｍｍ以下に抑えることで、屋外側からの覗き込みを防ぐとともに、スラット３の間に工具等を挿し入れて補剛リンク機構を破壊するような行為を阻止している。
【００４０】
本発明は、このようなスラット３を昇降・傾動させる際の動作設定に関し、前述の半開状態を「防犯通風モード」としてあらかじめ登録しておくことで、日常的な操作性を向上させている。図８は、その操作手段の一例としてのスイッチパネル９の概略的な構成を示す。
【００４１】
例示のスイッチパネル９は、壁面の適所に取り付けられるタイプのもので、その操作面には、［Ｏｐｅｎ］、［Ｃｌｏｓｅ］、［Ｓｔｏｐ］、［モード切替］の各キー９１〜９４と、［防犯通風モード］の表示ランプ９５とが配置されている。
【００４２】
［Ｏｐｅｎ］キー９１は、駆動制御手段及び昇降手段に対して、スラット３を上昇側に動かす信号を送出する。スラット３が傾斜状態にあるときは、まずスラット３を水平に戻してから上昇させる。「通常モード」（後述の［モード切替］キー）によって「防犯通風モード」に設定されていない状態）において、この［Ｏｐｅｎ］キー９１を短かく押すと、その間だけスラット３が上昇し、指を離せば上昇動作が停止する。また、この［Ｏｐｅｎ］キー９１を所定時間（例えば２秒以上）長押しすると、スラット３が連続的に上昇し、キーから指を離しても上昇動作が継続する。そして、スラット３全体が最上部まで上昇し、窓開口部が全開になると自動的に停止する。
【００４３】
［Ｃｌｏｓｅ］キー９２は、駆動制御手段及び昇降手段に対して、スラット３を下降側に動かす信号を送出する。すでにスラット３が最下位置まで降りているときは、さらにスラット３を閉じる側へと傾動させる。「通常モード」において、この［Ｃｌｏｓｅ］キー９２を短く押すと、その間だけスラット３が下降し、指を離せば下降動作が停止する。また、この［Ｃｌｏｓｅ］キー９２を所定時間（例えば２秒以上）長押しすると、スラット３が連続的に下降し、キーから指を離しても下降動作が継続する。そして、スラット３全体が最下部まで下降し、さらに、縦向きに傾動して窓開口部が全閉になると自動的に停止する。
【００４４】
［Ｓｔｏｐ］キー９３は、前述した［Ｏｐｅｎ］キー９１の長押しによる上昇動作、及び［Ｃｌｏｓｅ］キー９２の長押しによる下降動作を即時、停止させる信号を送出する。
【００４５】
［モード切替］キー９４は、ブラインドシャッター１の使用状態を、「通常モード」と「防犯通風モード」との間で切り替えるためのキーである。「通常モード」にある状態で、この［モード切替］キー９４を押すと、駆動制御手段及び昇降手段に対して、スラット３を「防犯通風モード」に移行させるための信号が送出される。それにより、スラット３は最下位置へと下降し、一旦、全閉状態になるまで傾動した後、「防犯通風モード」として登録された所定の傾斜角度まで開いて停止する。この移行動作が完了し、所定の半開状態で停止すると、［防犯通風モード］の表示ランプ９５が連続点灯する。ただし、移行動作の途中で［Ｏｐｅｎ］キー９１、［Ｃｌｏｓｅ］キー９２、［Ｓｔｏｐ］キー９３、［モード切替］キー９４のいずれかが押されると、移行動作を停止し、その途中状態のままで「通常モード」に戻る。
【００４６】
「防犯通風モード」に切り替わると、［Ｏｐｅｎ］キー９１及び［Ｃｌｏｓｅ］キー９２による操作は、いずれも、スラット３が最下位置に下降した状態を維持したまま、「防犯通風モード」として登録された所定角度の半開状態から全閉状態までの範囲内でスラット３を傾動させる操作についてのみ有効化される。その操作も、短押しのみ有効で、長押しは無効になる。つまり、「防犯通風モード」では、［Ｏｐｅｎ］キー９１を押し続けても、スラット３が所定角度の半開状態以上には開かず、また上昇もしないように制限される。あわせて、［Ｓｔｏｐ］キー９３の操作も無効になる。
【００４７】
「防犯通風モード」を解除する際には、［モード切替］キー９４を所定時間（例えば２秒以上）長押しする。所定時間未満の短押しは無効になる。［モード切替］キー９４が長押しされると、［防犯通風モード］の表示ランプ９５が点滅しながら、スラット３が全閉状態まで傾動した後、停止する。スラット３が停止したら、［防犯通風モード］の表示ランプ９５が消灯して、「通常モード」に切り替わる。ただし、全閉状態までの移行動作の途中で［Ｏｐｅｎ］キー９１、［Ｃｌｏｓｅ］キー９２、［Ｓｔｏｐ］キー９３、［モード切替］キー９４のいずれかが押されると、移行動作を停止し、その途中状態のままで「防犯通風モード」を維持する。
【００４８】
こうして、一旦全閉状態で停止した後、［Ｏｐｅｎ］キー９１、［Ｃｌｏｓｅ］キー９２及び［Ｓｔｏｐ］キー９３の操作が改めて有効化され、それらを追加的に操作することで、スラット３の傾斜角度を変えたり、スラット３を昇降させたりすることが可能になる。
【００４９】
このように、本発明のブラインドシャッター１の開閉操作に係る動作は、通風性と遮蔽・防犯性とのバランスを最適化し得るスラット３の半開状態が、あらかじめ「防犯通風モード」として登録され、操作手段に設けられた［モード切替］キー９４を押すだけで、その半開状態に移行するように構成されている。そして「防犯通風モード」に設定されている間は、操作手段を通じての操作が、スラット３の傾斜角度を所定の半開状態から全閉状態までの間で調整する操作だけに制限される。また、「防犯通風モード」を解除する際には、［モード切替］キー９４の長押し操作によって一旦スラット３が全閉状態で停止した後、さらに操作を追加することで、スラット３の開閉・昇降が可能になる。このような動作設定を採用したことにより、不用意な操作や屋外側からの不正な操作によって防犯性が損なわれる事態を常に予防しつつ、快適な使い勝手を、常時、簡単に得ることができる。
【００５０】
なお、本発明の実施に際しては、前述の実施形態と同程度の通風性及び防犯・遮蔽性が得られる範囲において、スラット３の断面形状の細部を若干、改変しても差し支えない。「防犯通風モード」として登録されるスラット３の傾斜角度についても、実際の使用態様や使用者の好み等に応じて、多少の調整は可能である。
【００５１】
また、操作手段に関しては、壁付けタイプのスイッチパネル９に替えて、移動可能なリモートコントローラを採用することもできる。操作のためのキー類は、例えば押しボタンスイッチでもタッチパネルでもよいし、あるいは音声信号によるもの等でもよい。キーの形状や表示も適宜変更可能であり、例えば「防犯通風モード」の表示については、「通風モード」または「防犯モード」、あるいは「プライバシーモード」、「安心モード」等と表示されてもよい。
【符号の説明】
【００５２】
１  ブラインドシャッター
２  枠体
２１  縦枠材
３  スラット
４  支持具
５  電動機
９  スイッチパネル（操作手段）
９４  モード切替キー
Ｓ  最大見通し間隔
【図１】
2017078283.tif 000003
【図２】
2017078283.tif 000004
【図３】
2017078283.tif 000005
【図４】
2017078283.tif 000006
【図５】
2017078283.tif 000007
【図６】
2017078283.tif 000008
【図７】
2017078283.tif 000009
【図８】
2017078283.tif 000010
【図９】
2017078283.tif 000011
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
建物の窓開口部に設置された枠体と、  互いに上下方向に連結されて前記枠体の枠内に取り付けられた複数枚のスラットと、  前記スラットを枠体の縦枠材に沿って昇降させる昇降機構と、  前記スラットの傾斜角度を変化させるチルト機構と、  前記昇降機構及び前記チルト機構を電動力を用いて作動させる駆動制御手段と、  前記駆動制御手段の操作に用いられる操作手段と、を備えるブラインドシャッターにおいて、  前記操作手段には、通風性と遮蔽・防犯性とをバランスよく両立し得る「防犯通風モード」の設定及び解除を行うためのモード切替キーが設けられ、  前記モード切替キーを介して「防犯通風モード」が選択されると、前記駆動制御手段が前記昇降機構及び前記チルト機構を連続的に作動させて、前記スラットを最下位置まで下降させた後、各スラットの傾斜角度を水平面に対し５５度〜６５度の範囲内の所定角度に停止させることにより、屋外側正面からの水平視線が遮蔽されて、上下のスラット間に適宜間隔の通風用開口が保持されるとともに、 前記「防犯通風モード」に設定されている状態では、各スラットの傾斜角度を前記所定角度よりも減じる操作、及び前記スラットを上昇させる操作が無効化される  ことを特徴とするブラインドシャッター。
【請求項２】
請求項１に記載のブラインドシャッターにおいて、  前記操作手段のモード切替キーを介して「防犯通風モード」の解除が選択されると、前記スラットが、水平面に対する傾斜角度を最大化する全閉状態まで動いて停止した後、前記スラットの傾斜角度を変更する操作、及び前記スラットを昇降させるための追加的な操作が有効化される  ことを特徴とするブラインドシャッター。 
【手続補正２】
【補正対象書類名】明細書
【補正対象項目名】００１４
【補正方法】変更
【補正の内容】
【００１４】 なお、本発明のブラインドシャッターは、前記「防犯通風モード」に設定された際にスラットが保持される所定角度が、図９に示す説明用断面図において、以下の条件を満たすことが望ましい。（１）上段スラットの屋外側下縁と下段スラットの屋内側上縁とを結ぶ平面Ｔが、水平面Ｌよりも屋外側に向かって１０度以上下向きに傾斜する。（２）上段スラットと下段スラットとの間に形成される最大見通し間隔Ｓが、ａ．スラットの奥行き寸法Ｄに対する比率で０．１倍〜０．３倍の範囲内になる。ｂ．スラットの高さ寸法Ｈに対する比率で０．７倍〜１．５倍の範囲内になる。ｃ．実寸法で１２ｍｍ〜３０ｍｍの範囲内になる。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
建物の窓開口部に設置された枠体と、
互いに上下方向に連結されて前記枠体の枠内に取り付けられた複数枚のスラットと、
前記スラットを枠体の縦枠材に沿って昇降させる昇降機構と、
前記スラットの傾斜角度を変化させるチルト機構と、
前記昇降機構及び前記チルト機構を電動力を用いて作動させる駆動制御手段と、
前記駆動制御手段の操作に用いられる操作手段と、
を備えるブラインドシャッターにおいて、
前記操作手段には、通風性と遮蔽・防犯性とをバランスよく両立し得る「防犯通風モード」の設定及び解除を行うためのモード切替キーが設けられ、
前記モード切替キーを介して「防犯通風モード」が選択されると、前記駆動制御手段が前記昇降機構及び前記チルト機構を連続的に作動させて、前記スラットを最下位置まで下降させた後、各スラットの傾斜角度を水平面に対し５５度〜６５度の範囲内の所定角度に停止させることにより、屋外側正面からの水平視線が遮蔽されて、上下のスラット間に適宜間隔の通風用開口が保持されるとともに、
前記「防犯通風モード」に設定されている状態では、各スラットの傾斜角度を前記所定角度よりも減じる操作、及び前記スラットを上昇させる操作が無効化される
ことを特徴とするブラインドシャッター。
【請求項２】
請求項１に記載のブラインドシャッターにおいて、
前記操作手段のモード切替キーを介して「防犯通風モード」の解除が選択されると、前記スラットが、水平面に対する傾斜角度を最大化する全閉状態まで動いて停止した後、前記スラットの傾斜角度を変更する操作、及び前記スラットを昇降させるための追加的な操作が有効化される
ことを特徴とするブラインドシャッター。 
【手続補正２】
【補正対象書類名】明細書
【補正対象項目名】００１４
【補正方法】変更
【補正の内容】
【００１４】
なお、本発明のブラインドシャッターは、前記「防犯通風モード」に設定された際にスラットが保持される所定角度が、図９に示す説明用断面図において、以下の条件を満たすことが望ましい。
（１）上段スラットの屋外側下縁と下段スラットの屋内側上縁とを結ぶ平面Ｔが、水平面Ｌよりも屋外側に向かって１０度以上下向きに傾斜する。
（２）上段スラットと下段スラットとの間に形成される最大見通し間隔Ｓが、
ａ．スラットの奥行き寸法Ｄに対する比率で０．１倍〜０．３倍の範囲内になる。
ｂ．スラットの高さ寸法Ｈに対する比率で０．７倍〜１．５倍の範囲内になる。
ｃ．実寸法で１２ｍｍ〜３０ｍｍの範囲内になる。